(57)【要約】【課題】  ペン等を表示画面から離れた空間で動かすことを入力操作とする。【解決手段】  ペンコマンド抽出機能は、表示画面の上方空間に置かれたペンの動きによって、その動きに応じたコマンドを抽出して、通知する（ステップＳ１０３）。ここで、ペンの動きとは、ペンの先端の位置の変化に加えて、ペンの向きの変化を含む。そして、コマンドは、表示画面に表示された選択肢一覧のスクロールや、その一覧中の選択肢の選択、その選択の決定などである。【選択図】  図３
2010277191.tif 000002
【特許請求の範囲】
【請求項１】
選択肢を表示する表示手段と、
前記表示手段の表示画面の上方空間にある線状の指示体の向き及びその指示体の先端の位置を検出する位置検出手段と、
前記表示手段の表示画面に表示された選択肢の直上に前記指示体の先端の位置があると前記位置検出手段によって検出されている際、その選択肢が選択されたと判断し、その選択された選択肢の表示形態をその選択肢以外の選択肢の表示形態と異なる形態とする入力制御手段とを有し、
前記入力制御手段は、前記位置検出手段によって前記指示体の向きが変化したことが検出されると、前記表示手段の表示画面に表示される内容をスクロールさせる
ことを特徴とする情報処理装置。
【請求項２】
前記位置検出手段は、前記表示手段の表示画面を覆って、又は、更にその表示画面の外に及んで設置され、前記指示体の先端から円錐状に放射された電磁波を受信し、その受信された電磁波の強度の分布によって、前記指示体の向き及びその指示体の先端の位置を検出する
ことを特徴とする請求項１に記載の情報処理装置。
【請求項３】
選択肢を表示する表示手段と、
前記表示手段の表示画面の上方空間にある指示体の位置を検出する位置検出手段と、
前記表示手段の表示画面に表示された選択肢の直上に前記指示体の位置があると前記位置検出手段によって検出されている際、その選択肢が選択されたと判断し、その選択された選択肢の表示形態をその選択肢以外の選択肢の表示形態と異なる形態とする入力制御手段とを有し、
前記入力制御手段は、前記位置検出手段によって前記指示体の位置が前記表示手段の表示画面と水平方向に動いたことが検出されると、前記表示手段の表示画面に表示される内容をスクロールさせる
ことを特徴とする情報処理装置。
【請求項４】
選択肢を表示する表示手段と、
前記表示手段の表示画面の上方空間にある指示体の位置を検出する位置検出手段と、
前記表示手段の表示画面に表示された選択肢の直上に前記指示体の位置があると前記位置検出手段によって検出されている際、その選択肢が選択されたと判断し、その選択された選択肢の表示形態をその選択肢以外の選択肢の表示形態と異なる形態とする入力制御手段とを有し、
前記入力制御手段は、前記位置検出手段によって前記指示体の位置が「レ」字状に動いたことが検出されると、前記選択されたと判断された選択肢の選択が決定されたと判断する
ことを特徴とする情報処理装置。
【請求項５】
前記位置検出手段は、前記表示手段の表示画面を覆って、又は、更にその表示画面の外に及んで設置され、前記指示体から円錐状に放射された電磁波を受信し、その受信された電磁波の強度の分布によって、前記指示体の位置を検出する
ことを特徴とする請求項３又は請求項４に記載の情報処理装置。
【発明の詳細な説明】
【技術分野】
【０００１】
本発明は、情報処理装置に係り、特に、使用者による入力処理に関する。
【背景技術】
【０００２】
移動通信装置、ＰＤＡ等の情報処理装置において、タッチスクリーンを介した使用者との間の入出力が知られている。タッチスクリーン画面をＸ−Ｙ平面とすれば、装置は、指示体がタッチスクリーンに触れた位置のＸ−Ｙ座標を得る。そして、選択肢、例えば、メニュー項目をタッチスクリーンに表示しておき、指示体が触れた位置に表示されたメニュー項目が選択されたとして処理をする。指示体は、スタイラスペン、指等（以後、ペン等と称する。）である。
【０００３】
更に、装置は、ペン等がタッチスクリーンの近くにある場合、ペン等と最も近いタッチスクリーンのＸ−Ｙ座標に加えて、ペン等のタッチスクリーンからの距離であるＺ座標を得る処理が知られている。このＸ−Ｙ−Ｚ座標は、静電容量方式のタッチスクリーンによって得ることができる。また、スタイラスペンの先端から電磁波、例えば、赤外線を円錐状の指向性によって放射し、その電磁波をタッチスクリーンに設けられた検出層で受信し、如何なるＸ−Ｙ座標の位置で如何なる強さの電磁波が受信されたかによって得ることができる。
【０００４】
このように、ペン等の先端のＸ−Ｙ−Ｚ座標が検出されると、必ずしもペン等の先端がタッチスクリーンに触れなくとも、Ｚがより小さい、即ち、タッチスクリーンにより近づいた場合、そのＸ−Ｙ座標に表示された項目を拡大して表示し、また、Ｚが所定の閾値より小さい場合、その項目が選択されたとして処理を行うことができる（例えば、特許文献１参照。）。
【０００５】
また、スタイラスペンの先端のタブレット上の位置が入力操作に用いられる装置で、スタイラスペンの先端が筐体に設けられた溝にそって移動され、また、傾けられると、その先端の位置と、傾きとに従って、例えば、表示される内容をスクロールする処理が知られている。この位置と、傾きの検出のため、スタイラスペンの先端に同調回路を設け、溝に沿ってループコイルを設ける。そして、ループコイルから送信された電磁波によって同調回路に誘導電圧が発生し、次に、その誘導電圧によって同調回路から発せられた電磁波をループコイルが検出することによる（例えば、特許文献２参照。）。
【先行技術文献】
【特許文献】
【０００６】
【特許文献１】特表２００５−５２９３９５号公報（第５−７頁、図４）
【特許文献２】特開２００４−２０６６１３号公報（第７−９頁、図２、図６）
【発明の概要】
【発明が解決しようとする課題】
【０００７】
しかしながら、上述した特許文献１に開示されている方法では、ペン等の先端のＸ−Ｙ−Ｚ座標の検出が可能でありながら、そのＸ−Ｙ座標の変化は、ペン等の先端がタッチスクリーンに触れて変化した場合と同じと扱われ、ペン等が３次元空間で動くことが反映されていない問題点があった。この問題点は、例えば、タッチスクリーンに表示された情報のスクロールの操作性の向上がされていないことに顕著に現れる。
【０００８】
一方、上述した特許文献２に開示されている方法では、表示される内容のスクロール以外の操作を併せて行うには適していない問題点があった。即ち、スクロール操作の場合、スタイラスペンを溝に移し、それ以外の操作の場合、そのペンを溝から離し、タブレット上に移す必要がある。使用者は、ペンの溝とタブレットとの間の煩雑な移動を行う必要がある。
【０００９】
本発明は上記問題点を解決するためになされたもので、ペン等を表示画面から離れた空間で動かすことを入力操作とする情報処理装置を提供することを目的とする。
【課題を解決するための手段】
【００１０】
上記目的を達成するために、本発明の情報処理装置は、選択肢を表示する表示手段と、前記表示手段の表示画面の上方空間にある線状の指示体の向き及びその指示体の先端の位置を検出する位置検出手段と、前記表示手段の表示画面に表示された選択肢の直上に前記指示体の先端の位置があると前記位置検出手段によって検出されている際、その選択肢が選択されたと判断し、その選択された選択肢の表示形態をその選択肢以外の選択肢の表示形態と異なる形態とする入力制御手段とを有し、前記入力制御手段は、前記位置検出手段によって前記指示体の向きが変化したことが検出されると、前記表示手段の表示画面に表示される内容をスクロールさせることを特徴とする。
【発明の効果】
【００１１】
本発明によれば、ペン等を表示画面から離れた空間で動かすことを入力操作とすることができる。
【図面の簡単な説明】
【００１２】
【図１】本発明の実施形態に係る移動通信装置の外観図。
【図２】本発明の実施形態に係る移動通信装置の構成を示すブロック図。
【図３】本発明の実施形態に係るペンコマンド抽出機能のコマンドを抽出する動作のフローチャート。
【図４】本発明の実施形態に係る移動通信装置の表示のスクロールを示す図（その１）。
【図５】本発明の実施形態に係る移動通信装置の表示のスクロールを示す図（その２）。
【図６】本発明の実施形態に係る移動通信装置の表示のスクロールを示す図（その３）。
【図７】本発明の実施形態に係る移動通信装置の表示のスクロールを示す図（その４）。
【発明を実施するための形態】
【００１３】
以下に、本発明の実施形態に係る情報処理装置が適用された移動通信装置の実施の形態を、図面を参照して説明する。図１は、本発明の実施形態に係る移動通信装置ＭＳの外観を示す。この移動通信装置ＭＳは、正面に表示部１５と、キー入力部１６とが設置されている。
【００１４】
表示部１５の表示画面の位置、及びその画面の外の移動通信装置ＭＳの筐体の表面の位置は、表示画面の右部を正とする横軸Ｘの座標ｘと、表示画面の上部を正とする縦軸Ｙの座標ｙによって識別される。また、表示画面からの距離は、表示画面と垂直な、表示画面の上方を正とする垂直軸Ｚの座標ｚによって識別されることにより、表示画面の上方空間中の位置が座標ｘ、ｙ、ｚにより識別される。
【００１５】
少なくとも、表示部１５の表示画面を覆って、好ましくは、更に、その画面外の移動通信装置ＭＳの筐体に及んで赤外線検出部２１が設置されている。赤外線検出部２１は、照射された赤外線の強さを複数の位置で、即ち、複数の座標ｘ、ｙ毎に検出する。
【００１６】
なお、表示部１５の表示画面の全て又は一部を覆って、タッチセンサが設置されていても良い。タッチセンサは、その表面にペン等が触れた場合、触れたことと、触れた位置の座標ｘ、ｙとを検出する。
【００１７】
キー入力部１６は、機能キー、例えば、移動通信装置ＭＳの電源の投入及び切断等の動作指示等を入力するために用いられる機能キー等からなる。
【００１８】
略直線状のペンＰＮは、ペンＰＮの延長方向へ、その先端から円錐状の指向性を持って赤外線を放射する。ペンＰＮは、その先端が表示部１５の表示画面を向くように、移動通信装置ＭＳの使用者によって保持される。そこで、赤外線検出部２１によって検出された座標ｘ、ｙ毎の赤外線の強さによって、ペンＰＮの先端の位置の座標ｘ、ｙ、ｚ、及び、ペンＰＮの向きが検出可能である。以後、ペンＰＮの先端の位置を、ペンＰＮの位置と称する。
【００１９】
ここで、ペンＰＮの向きとは、ペンＰＮの先端（赤外線を放射する位置。）を始点とし、その先端から放射された赤外線の中心（ペンＰＮの真の延長方向へ放射された赤外線。）が赤外線検出部２１に到着する点を終点とするベクトルとする。そこで、このベクトルのｚ座標は負、ｙ座標は通常正、そして、ｘ座標は、ペンＰＮが使用者の右手で保持されている場合、通常負、左手で保持されている場合、通常正の値である。
【００２０】
図２は、本発明の実施形態に係る移動通信装置ＭＳの構成を示すブロック図である。この移動通信装置ＭＳは、装置全体の制御を行う制御部１１と、移動通信網の基地局（図示せず）との間で電波の送受信を行うアンテナ１２ａと、通信部１２ｂと、送受信部１３と、通話用のスピーカ１４ａと、通話用のマイクロフォン１４ｂと、通話部１４ｃと、表示部１５と、キー入力部１６と、アプリケーション部１７と、ペン入力部２０とからなる。ペン入力部２０は、赤外線検出部２１と、ペン位置検出部２２と、ペン位置補正部２３とからなる。
【００２１】
なお、プログラムを実行することで実現される本発明に関する機能として、制御部１１には、ペンコマンド抽出機能１１−１が含まれる。
【００２２】
上記のように構成された、本発明の実施形態に係る移動通信装置ＭＳの各部の動作を、図２を参照して説明する。
【００２３】
ペンコマンド抽出機能１１−１は、ペン位置補正部２３によって出力されたペンＰＮの位置と向き、及び／又は、その位置と向きの変化を示す情報から、移動通信装置ＭＳに対するコマンドを抽出する。そして、そのコマンドは、例えば、キー入力部１６のキー操作によって入力された指示と同様に、移動通信装置ＭＳの各部の制御に用いられる。
【００２４】
通信部１２ｂは、アンテナ１２ａが受信した高周波信号を送受信部１３へ出力し、また、送受信部１３から出力される高周波信号をアンテナ１２ａより送信する。
【００２５】
送受信部１３は、通信部１２ｂからの高周波信号を増幅、周波数変換及び復調し、それによって得られたディジタル音声信号を通話部１４ｃへ、制御信号を制御部１１に送る。更には、通話部１４ｃから出力されるディジタル音声信号、制御部１１から出力される制御信号を変調、周波数変換及び増幅し、高周波信号を得て、それを通信部１２ｂに送る。
【００２６】
通話部１４ｃは、送受信部１３から出力されるディジタル音声信号をアナログ音声信号に変換し、それを増幅してスピーカ１４ａに送る。また、マイクロフォン１４ｂから出力されるアナログ音声信号を増幅し、それをディジタル音声信号に変換して送受信部１３に送信する。
【００２７】
表示部１５は、使用者に操作を促す表示や、使用者が操作した内容の表示や、装置の動作状態の表示等に用いられるバックライト付きのＬＣＤであり、制御部１１に制御されることで、カーソルを含む文字・数字を含む画像データを表示し、表示されているデータは、キー入力部１６からの入力操作や、ペンコマンド抽出機能１１−１によって抽出されたコマンドや、着信信号に応答して制御部１１からの指示を受けることで切換わる。
【００２８】
キー入力部１６は、移動通信装置ＭＳの電源の投入と切断を指示する機能キーを含む。また、表示部１５に表示された機能であってカーソルが置かれた機能の選択を決定することによって、その機能の実行を指示する決定キー、カーソル移動キーやスクロールキーを含む複数の機能キーを含んでも良い。また、通信相手の電話番号等を指定し、また、トグル式の入力方式によってひらがな文字、アルファベット文字及び記号文字を入力するための数字キーを含んでも良い。キー入力部１６は、キーが押下されると、そのキーの識別子を制御部１１に通知する。
【００２９】
アプリケーション部１７は、複数のアプリケーションであり、表示部１５に所定の表示を行って、使用者の入力を促す。この表示に対して、ペンコマンド抽出機能１１−１によって抽出されたコマンド、及び／又は、キー入力部１６の所定のキー操作に基づいて、アプリケーションは動作する。ここで、表示の一例は、メニューの表示である。メニューは、複数のメニュー項目からなり、使用者に１つのメニュー項目の選択を促す。そして、コマンド及びキー操作は、１つのメニュー項目を選択し、また、その選択を決定するために用いられる。
【００３０】
アプリケーションには、通話制御、電子メール送受信、アドレス帳管理、ゲーム等があるが、本発明の適用に際し、アプリケーションを問わない。いずれのアプリケーションであっても、本発明は適用可能である。
【００３１】
赤外線検出部２１は、照射された赤外線の強さを座標ｘ、ｙ毎に検出して出力する。更に、好ましくは、ペンＰＮの向き、即ち、赤外線が如何なる向きで放射されているかを示す座標ｘ、ｙ、ｚによって表されたベクトルとして検出して出力する。このベクトルは、キー入力部１６又はペン入力部２０を介した使用者の入力により、検出と出力が行なわれるか否かが設定されるとしても良い。
【００３２】
ペン位置検出部２２は、赤外線検出部２１によって検出された座標ｘ、ｙ毎の赤外線の強さによって、Ｘ、Ｙ平面をペンＰＮから放射された赤外線に照射されている部分と、照射されていない部分とに区分けする。これらの２つの部分を区分けする円錐曲線と、赤外線に照射された部分のいずれの部分が強く照射されているかと、ペンＰＮから赤外線が放射される際の円錐状の指向性の強弱とによって、ペン位置検出部２２は、ペンＰＮの位置の座標ｘ、ｙ、ｚ、及び、ペンＰＮの向きを示すベクトルを検出する。
【００３３】
ペンＰＮが移動通信装置ＭＳと一体の装置として製造された場合、上記指向性の強弱の正確な値を、移動通信装置ＭＳの製造時にペン位置検出部２２に記憶させることができる。一体の装置でない場合、ペン位置検出部２２は、指向性の強弱をキー入力部１６のキー操作によって得ても良い。また、暗黙値を用いても良い。正確な値を用いなくとも、ペンＰＮの向きは正しく検出される。また、ペンＰＮの位置と、赤外線検出部２１との間の距離が大きくなるに従って大きい座標ｚが検出されるのであるから、移動通信装置ＭＳの使用に重大な支障はない。
【００３４】
なお、赤外線検出部２１によって赤外線が如何なる向きで放射されているかを示すベクトルが検出される場合、ペン位置検出部２２は、そのベクトルを参照することによって、より正確に、より容易にペンＰＮの位置の座標ｘ、ｙ、ｚを検出することができる。
【００３５】
また、ペン位置検出部２２は、検出された座標ｚが所定の値より小さい場合、その座標ｚは０である、即ち、ペンＰＮは、赤外線検出部２１に触れているとみなす。ここで、赤外線検出部２１は、使用者にとって認識することができない程度に薄いので、赤外線検出部２１に触れるとは、表示部１５の表示画面に触れることと同義とする。座標ｚが０である場合、ペンＰＮの向きは不定であって、検出しない。
【００３６】
なお、タッチセンサが設置され、タッチセンサによって、ペンＰＮの先端等が触れた位置の座標ｘ、ｙが検出された場合、ペン位置検出部２２は、表示部１５の表示画面で、その座標ｘ、ｙと、Ｚ座標は０である位置にペンＰＮの先端は触れていると検出する。
【００３７】
ペン位置補正部２３は、ペン位置検出部２２によって検出されたペンＰＮの位置の座標ｘ、ｙ、ｚ、及び、その向きを示すベクトルを入力し、それらを補正して出力する。ここで、補正は平滑化である。即ち、ペンＰＮは移動通信装置ＭＳの使用者によって保持されるのであるから、使用者の意図によらない小刻みな動きが避けられない。また、移動通信装置ＭＳが列車の中等で使用される場合、装置自体の小刻みな動きも避けられない。ペン位置補正部２３は、それらの動きをローパスフィルタによって取り除く。
【００３８】
以下、図３に示すフローチャートを参照して、上記構成の移動通信装置ＭＳにおける、ペンコマンド抽出機能１１−１によるペン入力部２０によって出力されたペンＰＮの位置の座標ｘ、ｙ、ｚ、及び、その向きを示すベクトルから、入力されたコマンドを抽出する動作の詳細を説明する。
【００３９】
ペンコマンド抽出機能１１−１は、移動通信装置ＭＳの電源投入によって、又は、キー入力部１６の所定のキー操作に従って動作を開始し（ステップＳ１０１）、ペン位置補正部２３から出力されたペンＰＮの位置、即ち、位置の座標ｘ、ｙ、ｚ、及び、その向きを示すベクトルを入力して、デフォルト値として記憶する（ステップＳ１０２）。この際、使用者は、右手、左手のいずれを用いてペンＰＮを保持しているかが判断される。そこで、用いている手を参照して、後述するペンＰＮの動きをより正確に判定することができる。
【００４０】
そして、ペンコマンド抽出機能１１−１は、ペンＰＮの位置の変化に従った、言い換えると、その動きに従ったコマンドを抽出して、制御部１１内に通知して（ステップＳ１０３）、そのステップＳ１０３の動作を繰り返す。ここで、位置の変化とは、位置が変化しないことを含む。ペンコマンド抽出機能１１−１は、移動通信装置ＭＳの電源切断によって、又は、キー入力部１６の所定のキー操作に従って、任意の動作ステップで動作を終了する（図示せず）。
【００４１】
なお、以上の説明では、ステップＳ１０２のペンＰＮのデフォルト値の記憶は動作を開始した後に１回行われるとしたが、これに限るものではない。ペンコマンド抽出機能１１−１は、ステップＳ１０３でペンＰＮの位置と向きに変化がない場合、その位置と向きをデフォルト値として更新記憶しても良い。また、その位置と向きと、記憶されたデフォルト値との平均値を算出して、デフォルト値として更新記憶しても良い。
【００４２】
ステップＳ１０３の、ペンＰＮの位置及び向きの動きと、その動きに応じたコマンドとの例を説明する。第１に、ペンＰＮの位置の座標ｚが０でなく、かつ、その座標ｘ、ｙに変化がなく、表示部１５の表示画面に選択肢、例えば、メニュー項目が表示されている場合、ペンＰＮの座標ｘ、ｙに表示された選択肢が選択されたとのコマンドを抽出する。
【００４３】
更に、ペンＰＮの位置の座標ｚが０でなく、かつ、その座標ｘ、ｙに変化があった場合、言い換えると、ペンＰＮの位置が表示画面と平行方向に移動した場合、表示された全ての選択肢の表示位置が移動する。これは、例えば、メニュー項目がスクロールすることを意味する。ここで、スクロール後に選択された選択肢は、座標ｘ、ｙに変化がある前に選択されていた位置に新たに表示された選択肢であるが、座標ｘ、ｙに変化がある前に選択されていた選択肢でも良い。
【００４４】
図４は、この第１の抽出の一例を示す。ペンＰＮの位置の座標ｘ、ｙが変化する前には、メニューの項目５が、図４では、項目８が表示されている位置に表示され、選択されていた。ここで、ペンＰＮの位置の座標ｘ、ｙ（主にｙ。）が図で上に示した位置に変化した場合、選択される選択肢が表示されている位置は変わらず、位置の変化に従ってメニュー項目がスクロールされたことを示す。なお、選択された項目は、例えば、反転された色での表示等、異なる表示形態によって表示される。図４では、項目が選択されていることを、その項目にハッチングを施して示す。
【００４５】
この抽出動作によるスクロールの大きさは、表示画面に表示されている項目の数に依存し、図４に示す例では、３つが最大である。この最大を超えるスクロールが必要な場合、図５に示すように、ペンＰＮの先端を一旦表示画面の上方空間から外し、再度、表示画面の上方空間に移動することによって、スクロールさせる。選択されたメニュー項目を変更する際も同様であって、ペンＰＮの先端を一旦表示画面の上方空間から外し、再度、表示画面の上方空間に移動する。
【００４６】
なお、図４で、表示部１５の表示画面の上部には表示されているメニューの標題が、下部には、そのメニューのヘルプ情報が、左部及び右部にはスクロールバーの表示がされている。これは、表示画面の周辺部には選択肢を表示しないことが好ましいからである。
【００４７】
なぜなら、ペンＰＮは、所定の傾きを伴って表示画面に相対する。そこで、ペンＰＮの位置の座標ｘ、ｙが周辺部に近い場合、たとえ、赤外線検出部２１が表示画面外の移動通信装置ＭＳの筐体に及んで設置されていても、その位置の座標ｘ、ｙの検出精度に誤差が多くなる可能性が避けられない。表示画面の周辺部には選択肢を表示しないことによって、この誤差による悪影響を少なくすることができる。
【００４８】
なお、ペンＰＮが右手によって保持される場合、表示画面の下部及び右部に、また、左手によって保持される場合、表示画面の下部及び左部に、選択肢を表示しないことが特に望まれるので、制御部１１は、保持される手に依存して、表示に修正を施しても良い。例えば、スクロールバーを表示画面の右部と、左部のいずれか一方に表示させても良い。
【００４９】
第２に、ペンＰＮの位置の座標ｘ、ｙの変化が所定の小さい範囲内のまま、その座標ｚが所定の値以下の小さい値に変化し、直ちに、その所定の値より大きい値に戻った場合、言い換えると、ペンＰＮの先端が表示部１５の表示画面に下ろされ、接触して、直ちに元の位置に戻った場合、その座標ｘ、ｙの位置、即ち、接触された位置に表示されていた選択肢の選択が決定されたとのコマンドを抽出する。このコマンドにより、通常、制御部１１によって、その選択肢が示す機能が実行される。
【００５０】
第３に、ペンＰＮの位置の座標ｙがデフォルト値より小さくなった後、元に戻り、座標ｘ及び座標ｚは、デフォルト値からわずかに変化した場合、言い換えると、移動通信装置ＭＳの使用者が「レ」字を書くように、ペンＰＮを動かした場合、その座標ｘ、ｙの位置に表示されていた選択肢の選択が決定されたとのコマンドを抽出する。このペンＰＮの位置「レ」字状の動きを検出する際、ペンＰＮが使用者の右手に保持されているか左手に保持されているかを参照する。いずれの手に保持されているかによって、動きに差がある可能性があるからである。
【００５１】
第４に、ペンＰＮの位置の座標ｘはデフォルト値から小さい変化のまま、その座標ｙ、ｚは、共に小規模ではあるがデフォルト値から大きく／小さくなり、かつ、ペンＰＮの向きが、デフォルト値からｙが大きい／小さい方向に変化した場合、言い換えると、移動通信装置ＭＳの使用者がペンＰＮの向きを表示画面のより上部／下部に傾けた場合、ペンＰＮの向きの変化に従って表示された選択肢を上へ／下へスクロールさせるとのコマンドを抽出する。なお、スクロールの速度は、ペンＰＮの向きの変化に略比例させるが、如何なる変化で如何なる速度とするかは、事前に定められ、又は、キー入力部１６又はペン入力部２０からの入力によって設定される。
【００５２】
このスクロールさせるコマンドは、ペンＰＮの動きが止まった際に抽出を終了しても良い。また、ペンＰＮの動きが止まっても、ペンＰＮの向きが変化している際は、抽出を続け、その向きが元に戻った際に抽出を終了しても良い。この抽出を続ける動作の際、スクロールの速度は、時間の経過と共に遅くなっても良く。更に、所定の時間の経過後にスクロールさせるコマンドの抽出を終了しても良い。
【００５３】
図６は、この第４の動作の一例であって、ペンＰＮが表示画面のより上部に向けられたことにより、選択肢が上へスクロールされた例を示し、選択された選択肢は、この第４の動作が行われる前に選択されていた選択肢が表示されていた位置に新たに表示された選択肢である。図７は、ペンＰＮの動きは同じであって、選択された選択肢は、この第４の動作が行われる前に選択されていた選択肢である例を示す。これらの図では、ペンＰＮから放射された赤外線が表示画面を照射している範囲の概要を円（詳細には円錐曲線であり、円と限る訳ではない。）で示した。
【００５４】
以上の説明で、表示部１５には、メニュー項目が上下に並んで表示される例を用いたが、これに限るものではない。左右に並んで表示されても良い。この場合、ペンコマンド抽出機能１１−１は、上記説明したペンＰＮの上下の動きを左右の動きとみなし、左右の動きを上下の動きとみなせば良い。これに伴い、ペンＰＮの位置の座標ｘの変化を座標ｙの変化とみなし、座標ｙの変化を座標ｘの変化とみなす。また、アイコンが上下左右に並んで表示されても良い。
【００５５】
（赤外線検出部２１と、ペン位置検出部２２との異なる実施形態）
赤外線検出部２１と、ペン位置検出部２２とは、上述した以外の実施形態も可能である。この異なる実施形態において、表示部１５の表示画面の４辺に、赤外線発光部を設ける。上辺に設けられた赤外線発光部からは下辺に向けて、下辺に設けられた赤外線発光部からは上辺に向けて、左辺に設けられた赤外線発光部からは右辺に向けて、右辺に設けられた赤外線発光部からは左辺に向けて、それぞれ複数本の、又は、帯状の赤外線が発光される。
【００５６】
この実施形態において、赤外線検出部２１は、表示部１５の表示画面の４辺それぞれの複数の位置に設けられる。そして、４つの辺のいずれの位置で如何なる強度の赤外線が検出されたかを出力する。
【００５７】
また、ペン位置検出部２２は、ペン等と近いと、赤外線検出部２１によって検出される赤外線が強いことにより、ペン等の位置の座標ｘ、ｙ、ｚを検出する。更に、ある辺で、赤外線が検出される位置が多い、言い換えると、検出された赤外線の強さの最大値が大きくなく、そして、広い裾野を伴って赤外線が検出されると、ペン等は、その辺に対して傾いていない、また、ある辺で、赤外線が検出される位置が少ない、言い換えると、検出された赤外線の強さの最大値が大きく、そして、狭い範囲に止まって赤外線が検出されると、ペン等がその辺に向かって傾いているとして、ペン等の向きを検出する。
【００５８】
以上の説明は、本発明を移動通信装置ＭＳに適用した形態を例にとって行ったが、これに限るものではない。本発明は、パソコンを含む、あらゆる情報処理装置、特に、携帯型の装置に適用することが当然に可能である。また、キー入力部１６の他に、マウス等の入力手段を備えていても、本発明の適用になんら支障はない。本発明は以上の構成に限定されるものではなく、種々の変形が可能である。
【符号の説明】
【００５９】
ＭＳ  移動通信装置
ＰＮ  ペン
１１  制御部
１１−１  ペンコマンド抽出機能
１５  表示部
２０  ペン入力部
２１  赤外線検出部
２２  ペン位置検出部
２３  ペン位置補正部
【図１】
2010277191.tif 000003
【図２】
2010277191.tif 000004
【図３】
2010277191.tif 000005
【図４】
2010277191.tif 000006
【図５】
2010277191.tif 000007
【図６】
2010277191.tif 000008
【図７】
2010277191.tif 000009